(57)【要約】【課題】光伝送装置の状態が不安定となりアラームの発生と復帰を繰り返しているときに、アラーム通知を停止させ、またアラームが発生している光伝送装置をスタンバイ状態とすることで、アラーム通知を送信する回線負荷を削減する。【解決手段】  移動しながら光伝送装置子機１０２と無線で通信データの送受信を行う移動局１０１と、光伝送装置親機１０３と光ケーブルで接続され通信データの送受信を行う光伝送装置子機１０２と、無線基地局１０５と無線で接続され光伝送装置子機１０２から受信した通信データを無線基地局１０５に送信、または無線基地局１０５から受信した通信データを指定された光伝送装置子機１０２に送信する光伝送装置親機１０３と、光伝送装置子機１０２と光伝送装置親機１０３のアラームを監視する遠隔監視装置１０９で構成される移動通信システムにおいて、連続してアラームが発生したときにアラーム通知を停止しスタンバイ状態とする。【選択図】図１
2010200233.tif 000002
【特許請求の範囲】
【請求項１】
光伝送装置と遠隔監視装置を備えた移動通信システムであって、
前記光伝送装置のアラームを検出するアラーム検出手段と、
前記アラーム検出手段で検出した前記アラームを状態変化通知メッセージとして前記遠隔監視装置に送信する状態変化通知メッセージ送信手段と、
前記光伝送装置をスタンバイ状態に遷移させるスタンバイ状態遷移手段とを備え、
前記光伝送装置で予め定めた回数だけ連続して前記アラームが発生したときに、前記状態変化通知メッセージ送信手段は前記状態変化通知メッセージの送信を停止し、また前記スタンバイ状態遷移手段は前記光伝送装置を前記スタンバイ状態に遷移させることを特徴とする移動通信システム。
【発明の詳細な説明】
【技術分野】
【０００１】
本発明は、移動通信システムの光伝送装置にアラームが発生したときに、アラームの発生を知らせる通知（以下、アラーム通知という）を停止し、再起動制御のみの通知を受け付けられる状態（以下、スタンバイ状態という）とする移動通信システムに関する。
【背景技術】
【０００２】
光伝送装置を備えた移動通信システムにおいて、光伝送装置に通信異常が発生した場合には、このような光伝送装置のアラーム通知は、ネットワークを経由して遠方監視装置のアラームランプの点灯や遠方監視装置のモニターにアラーム通知を表示することで、移動通信システムの監視者（以下、オペレータという）に知らせていた。しかし、光伝送装置の状態が不安定となりアラームの発生と復帰を繰り返してしまうときには、遠方監視装置のアラームランプが点灯と消灯を繰り返したり、またモニターに同じアラーム通知が何回も表示されてしまうという問題があった。このような繰り返されるアラーム通知を回避する技術として下記技術文献１がある。特許文献１の遠方監視システムは、通信装置の制御部あるいはモデムがノイズ混入などによって異常状態となった時でも、通信機器に対して自動的にリセットをかけることができるので、通信装置内のモデムや制御部の異常状態を回避することができるようにしている。
【先行技術文献】
【特許文献】
【０００３】
【特許文献１】特開２００３−１８３１２
【発明の概要】
【発明が解決しようとする課題】
【０００４】
しかし、特許文献１に開示された遠方監視システムは、通信機器が自動的にリセットをかけるので、オペレータがどこに異常が発生しているかの状況確認や必要なデータを採取せずにリセットをかけてしまい、原因を究明できないという問題があった。
【０００５】
本発明はこのような状況に鑑みてなされたものであり、上記課題を解決できる移動通信システムを提供することを目的とする。
【課題を解決するための手段】
【０００６】
本発明の移動通信システムは、光伝送装置と遠隔監視装置を備えた移動通信システムであって、前記光伝送装置のアラームを検出するアラーム検出手段と、前記アラーム検出手段で検出した前記アラームを状態変化通知メッセージとして前記遠隔監視装置に送信する状態変化通知メッセージ送信手段と、前記光伝送装置をスタンバイ状態に遷移させるスタンバイ状態遷移手段とを備え、前記光伝送装置で予め定めた回数だけ連続して前記アラームが発生したときに、前記状態変化通知メッセージ送信手段は前記状態変化通知メッセージの送信を停止し、また前記スタンバイ状態遷移手段は前記光伝送装置を前記スタンバイ状態に遷移させることを特徴としている。
【発明の効果】
【０００７】
本発明の移動通信システムは、移動通信システムの光伝送装置の状態が不安定となりアラームの発生と復帰を繰り返してしまったときでも、アラーム通知を停止させることで、アラーム通知を送信するための回線負荷と送信するための通信料を低減することができる。また、光伝送装置を移動通信システムのオペレータによる再起動制御を受け付けることができるスタンバイ状態とすることで、オペレータがどこに異常が発生しているかの状況確認や必要なデータを採取してから再起動を行うことができる。
【図面の簡単な説明】
【０００８】
【図１】本発明の実施の形態に係わる移動通信システムの構成を示すシステム構成図である。
【図２】本発明の実施の形態に係わる光伝送装置子機の機能部位を示す機能ブロック図である。
【図３】本発明の実施の形態に係わる光伝送装置親機の機能部位を示す機能ブロック図である。
【図４】（ａ）は、本発明の実施の形態に係わる状態変化通知メッセージの構成を示すメッセージ構成図である。（ｂ）は、本発明の実施の形態に係わる自動スタンバイおける状態変化通知メッセージの構成を示すメッセージ構成図である。（ｃ）は、本発明の実施の形態に係わるアラーム一覧表示画面のフォーマットを示す画面フォーマット図である。
【図５】本発明の実施の形態に係わるアラーム連続発生検出処理の処理手順を示すフローチャートである。
【図６】本発明の実施の形態に係わるアラーム発生処理の処理手順を示すフローチャートである。
【図７】本発明の実施の形態に係わる移動通信システムの処理概要を示すフローチャートである。
【発明を実施するための形態】
【０００９】
以下、本発明の実施の形態について図面を参照して説明する。
（実施の形態）
まず、図１に示す移動通信システムの構成について説明する。図１に示すように移動通信システムは、移動局１０１、光伝送装置子機１０２(以下、子機１０２という)、光伝送装置親機１０３(以下、親機１０３という)、ＩＳＤＮルータ１０４、無線基地局１０５、無線網制御装置１０６、交換機１０７、ネットワーク１０８、遠方監視装置１０９から構成されている。移動局１０１は、移動しながら子機１０２と無線で通信データの送受信を行う局である。子機１０２は各地点に設置され、親機１０３と光ケーブルで接続され通信データの送受信を行うための機器である。親機１０３は、複数の子機１０２と光ケーブルで接続され、無線基地局１０５とは無線で接続されている機器で、子機１０２から受信した通信データを無線基地局１０５に送信し、また無線基地局１０５から受信した通信データを指定された子機１０２に送信する機器である。ＩＳＤＮルータ１０４は、従量課金によるダイアルアップ接続のルータであり、ネットワーク１０８への接続要求を受け付けるとネットワーク１０８に接続し、通信が終了すると自動的にネットワーク１０８との接続を切断する機器である。無線基地局１０５は、移動局１０１からの通信データを中継するための移動しない局である。無線基地局１０５には、例えば「渋谷宇田川局」などの名称が付けられている。無線網制御装置１０６は、無線基地局１０５と交換機１０７とに接続され、ネットワーク１０８との接続や通信データの送受信を制御する装置である。交換機１０７は、ネットワーク１０８に接続され、ネットワーク１０８に接続されている機器と通信データの送受信を行う機器である。ネットワーク１０８は通信網で、ネットワーク１０８には通信データの送受信行う複数の装置や機器が接続される。遠隔監視装置１０９は、ネットワーク１０８に接続され、複数の移動通信システムを監視するためのモニターを備えた装置であり、モニターには子機１０２または親機１０３にアラームが発生したときに点灯させるアラームランプが取り付けられている。また、モニターには後述する図４（ｃ）に示すアラーム一覧表示画面を表示させることができる。
【００１０】
次に、図２に示す子機１０２の機能について説明する。図２に示すように子機１０２は、光Ｉ／Ｆ部２０１、無線送受信部２０２、無線増幅部２０３、保守監視制御部２０４、揮発メモリ２０５、不揮発メモリ２０６から構成されている。光Ｉ／Ｆ部２０１は、親機１０３と接続するためのインターフェースの部位である。無線増幅部２０３は、アンテナから受信した信号や無線送受信部２０２から入力した信号の増幅を行う部位である。無線送受信部２０２は、光Ｉ／Ｆ部２０１から入力した通信データを信号に変換して無線増幅部２０３に出力し、また無線増幅部２０３から入力した信号を通信データに変換して光Ｉ／Ｆ部２０１に出力する部位である。保守監視制御部２０４はＣＰＵまたはＭＰＵであり、子機１０２の各部の動作を制御するとともに、子機１０２の各部にアラームが発生していないかを監視し検出する部位である。また、保守監視制御部２０４には、同じアラームが予め決められた時間内に連続して発生していないかを検出するアラーム連続発生検出処理部２０４ａと、アラームが発生しているときまたはアラームが連続して発生しているときの処理を行うアラーム発生処理部２０４ｂと、アラーム連続発生処理部２０４ａに対して起動時間のタイマー処理を行うタイマー処理部２０４ｃと、アラームの発生と復帰を検出しアラーム発生処理部２０４ｂの起動を行うアラーム処理部２０４ｄを備えている。揮発メモリ２０５は、保守監視制御部２０４にて用いられるデータを一時的に記憶するメモリであり、同じアラームの発生回数をカウントするアラーム連続発生カウンタ値２０５ａと、予め決められた時間内にある閾値以上のアラームが発生しているか否かを示すアラーム連続発生検出フラグ２０５ｂを記憶している。アラーム連続発生検出フラグ２０５ｂには、予め決められた時間内にある閾値以上のアラームが発生しているときは「ＯＮ」が設定され、それ以外のときは「ＯＦＦ」が設定される。不揮発メモリ２０６は、保守監視制御部２０４の基本機能を実現するためのプログラムや検出したアラームなどの情報を保存するメモリであり、アラームが連続発生しているかを検出するために用いられる閾値であるアラーム連続発生カウンタ閾値２０６ａと、アラーム連続発生検出処理の起動周期であるアラーム連続発生検出処理タイマー値２０６ｂが記憶されている。各部位は、バスにより接続されている。
【００１１】
次に、図３に示す親機１０３の機能について説明する。図３に示すように親機１０３は、無線Ｉ／Ｆ部３０１、無線送受信部３０２、ネットワークＩ／Ｆ部３０３、保守監視制御部３０４、光信号変換部３０５、揮発メモリ３０６、不揮発メモリ３０７から構成されている。無線Ｉ／Ｆ部３０１は、無線基地局１０５と接続するためのインターフェースの部位である。ネットワークＩ／Ｆ部３０３は、ネットワーク１０８と接続するためのインターフェースの部位で、ネットワーク１０８に接続されている遠隔監視装置１０９と通信データの送受信を行うことができる。光信号変換部３０５は、子機１０２に送信する通信データを光信号に変換し、また子機１０２から受信する光信号を通信データに変換する部位である。無線送受信部３０２は、無線Ｉ／Ｆ部３０１から入力した通信データを光信号変換部３０５に出力し、また光信号変換部３０５から入力した通信データを無線Ｉ／Ｆ部３０１に出力する部位である。保守監視制御部３０４はＣＰＵまたはＭＰＵであり、親機１０３の各部の動作を制御するとともに、親機１０３の各部にアラームが発生していないかを監視し検出する部位である。また、保守監視制御部３０４には、同じアラームが予め決められた時間内に連続して発生していないかを検出するアラーム連続発生検出処理部３０４ａと、アラームが発生しているときまたはアラームが連続して発生しているときの処理を行うアラーム発生処理部３０４ｂ、アラーム連続発生処理部３０４ａに対して起動周期時間のタイマー処理を行うタイマー処理部３０４ｃと、アラームの発生と復帰を検出しアラーム発生処理部３０４ｂの起動を行うアラーム処理部３０４ｄを備えている。揮発メモリ３０６は、保守監視制御部３０４にて用いられるデータを一時的に記憶するメモリであり、同じアラームの発生回数をカウントするアラーム連続発生カウンタ値３０６ａと、予め決められた時間内にある閾値以上のアラームが発生しているか否かを示すアラーム連続発生検出フラグ３０６ｂを記憶している。アラーム連続発生検出フラグ３０６ｂには、予め決められた時間内にある閾値以上のアラームが発生しているときは「ＯＮ」が設定され、それ以外のときは「ＯＦＦ」が設定される。不揮発メモリ３０７は、保守監視制御部３０４の基本機能を実現するためのプログラムや検出したアラームなどの情報を保存するメモリであり、アラームが連続発生しているかを検出するために用いられる閾値であるアラーム連続発生カウンタ閾値３０７ａと、アラーム連続発生検出処理の起動周期であるアラーム連続発生検出処理タイマー値３０７ｂが記憶されている。各部位は、バスにより接続されている。
【００１２】
次に、図４（ａ）に示す状態変化通知メッセージの構成について説明する。図４（ａ）に示す状態変化通知メッセージは、アラームの発生と復帰を図１に示す遠隔監視装置１０９に通知するために、図２に示すアラーム発生処理部２０４ｂと図３に示すアラーム発生処理部３０４ｂが作成し、遠隔監視装置１０９に送信するメッセージである。図４（ａ）に示すように状態変化通知メッセージには、ヘッダ部、アラーム発生装置番号、アラーム名称、アラーム発生装置名称、時刻、アラーム発生装置状態の項目が設けられている。ヘッダ部には、送信先である遠方監視装置１０９のアドレス、送信元となる無線基地局１０５のアドレス、状態変化通知メッセージのデータサイズなどの状態変化通知メッセージを送信するための情報が設定される。アラーム発生装置番号には、アラームの発生または復帰した光伝送装置のＮｏ．が設定される。本実施の形態では、光伝送装置である子機１０２と親機１０３の各々にユニークなＮｏ．が付けられているので、そのＮｏ．が設定される。アラーム名称には、アラームの内容を示す名称または自動的にスタンバイとなったことを示す内容が設定され、例えば「温度異常」、「電源異常」、「回線異常」、「自動スタンバイ」などが設定される。アラーム発生装置名称には、アラームが発生または復帰した装置の名称が設定され、アラームが発生または復帰した装置が親機であれば「親機」、また子機であれば子機ごとに付けられたユニークな名称である「子機Ａ」、「子機Ｂ」、・・・・、「子機Ｘ」が設定される。時刻には、アラームが発生または復帰した時刻が「ＹＹＹＹ（年）／ＭＭ（月）／ＤＤ（日）、ｈｈ（時）：ｍｍ（分）」の形式で設定される。アラーム発生装置状態には、アラームが発生または復帰した装置の状態が設定され、本実施の形態ではアラームが発生したときには「異常」、アラームが復帰したときには「正常」、スタンバイとなったときには「スタンバイ」が設定される。例えば、アラーム発生装置Ｎｏ．が「３」の「子機」が２００９年１月９日１０時４６分に自動的にスタンバイとなったときには、図４（ｂ）に示すようにアラーム発生装置番号には「３」、アラーム名称には「自動スタンバイ」、アラーム発生装置名称にはアラーム発生装置Ｎｏ．が「３」である「子機Ｂ」、時刻には「２００９／０１／０９、１０：４６」、アラーム発生装置状態には「スタンバイ」が設定される。
【００１３】
次に、図４（ｃ）に示すアラーム一覧表示画面について説明する。アラーム一覧表示画面は、図１に示す遠隔監視装置１０９が図４（ｂ）に示す状態変化通知メッセージを受信すると、状態変化通知メッセージの内容に基づいて作成し、モニターに表示する画面である。アラーム一覧表示画面には、アラーム名称、発生局、アラーム発生装置名称、アラーム発生時刻、アラーム復帰時刻、アラーム発生装置状態の項目が設けられている。アラーム名称には、状態変化通知メッセージのアラーム名称が設定される。発生局には、アラームが発生した光伝送装置である親機または子機が設置されている図１に示す無線基地局１０５に付けられている名称が設定される。アラーム発生装置名称には、状態変化通知メッセージのアラーム発生装置名称が設定される。アラーム発生装置状態には、状態変化通知メッセージのアラーム発生状態が設定される。アラーム発生装置状態が「異常」または「スタンバイ」のときには、アラーム発生時刻に状態変化通知メッセージの時刻が設定され、またアラーム発生装置状態が「正常」のときには、アラーム復帰時刻に状態変化通知メッセージの時刻が設定される。例えば、遠隔監視装置１０９が図４（ｂ）に示す自動スタンバイおける状態変化通知メッセージを受信したときは、図４（ｃ）に示すようにアラーム名称には「自動スタンバイ」、発生局には状態変化通知メッセージを送信した無線基地局の名称である「小金井局」、アラーム発生装置名称にはアラームが発生した装置である「子機Ｂ」、アラーム発生時刻には自動スタンバイとなった時刻である「２００９／０１／０９、１０：４６」、アラーム発生装置状態に「スタンバイ」が設定される。
【００１４】
図５は、子機１０２のアラーム連続発生検出処理部２０４ａが実行するアラーム連続発生検出処理のフローチャートを示す図である。図６は、子機１０２のアラーム発生処理部２０４ｂが実行するアラーム発生処理のフローチャートを示す図である。子機１０２の電源が投入されると、保守監視制御部２０４は、アラーム連続発生カウンタ値２０５ａを「０」で初期化し、またアラーム連続発生検出フラグ２０５ｂに「ＯＦＦ」を設定し、タイマー処理部２０４ｃを起動する。タイマー処理部２０４ｃは、アラーム連続発生検出処理部２０４ａを予め決められた周期で起動するために、アラーム連続発生検出処理タイマー値２０６ｂを不揮発性メモリ２０６から取り出し、タイムアウト時間にセットする。このタイムアウト時間が経過すると、タイマー処理部２０４ｃがアラーム連続発生検出処理部２０４ａを起動し、アラーム連続発生検出処理部２０４ａがアラーム連続発生検出処理を開始する。また、アラーム処理部２０４ｄがアラームの発生または復帰を検出すると、アラーム処理部２０４ｄがアラーム発生処理部２０４ｂを起動し、アラーム発生処理部２０４ｂがアラーム発生処理を開始する。
【００１５】
まず、図５に示すアラーム連続発生検出処理フローチャートのステップ順に、アラーム連続発生検出処理を説明する。
【００１６】
（ステップＳ１０１）
アラーム連続発生検出処理部２０４ａは、揮発メモリ２０５からアラーム連続発生カウンタ値２０５ａと、不揮発メモリ２０６からアラーム連続発生カウンタ閾値２０６ａを取り出す。そしてアラーム連続発生カウンタ値２０５ａがアラーム連続発生カウンタ閾値２０６ａ以上であるかを判定する。アラーム連続発生カウンタ値２０５ａがアラーム連続発生カウンタ閾値２０６ａ以上である(ステップＳ１０１のＹｅｓ)ときは、ステップＳ１０２に進む。またアラーム連続発生カウンタ値２０５ａがアラーム連続発生カウンタ閾値２０６ａより小さい(ステップＳ１０１のＮｏ)ときは、ステップＳ１０３に進む。
【００１７】
（ステップＳ１０２）
アラーム連続発生検出処理部２０４ａは、アラーム連続発生検出フラグ２０５ｂに「ＯＮ」を設定し記憶する。そして、アラーム連続発生検出処理部２０４ａは、アラーム連続発生検出処理を終了する。
【００１８】
（ステップＳ１０３）
アラーム連続発生検出処理部２０４ａは、アラーム連続発生検出フラグ２０５ｂに「ＯＦＦ」を設定し記憶する。
【００１９】
（ステップＳ１０４）
アラーム連続発生検出処理部２０４ａは、アラーム連続発生カウンタ値２０５ａを「０」で初期化し記憶する。
【００２０】
（ステップＳ１０５）
アラーム連続発生検出処理部２０４ａは、アラーム連続発生検出処理を次回開始するためのアラーム連続発生検出処理タイマー値２０６ｂを不揮発性メモリ２０６から取り出し、タイムアウト時間にセットし、タイマー処理部１０５を起動する。そして、アラーム連続発生検出処理部２０４ａは、アラーム連続発生検出処理を終了する。
【００２１】
以上のアラーム連続発生検出処理により、アラーム連続発生検出処理の起動周期の間にアラームが連続発生し、発生回数が閾置以上となったときにアラーム連続発生検出フラグに「ＯＮ」が設定され、発生回数が閾置より小さいときにはアラーム連続発生検出フラグに「ＯＦＦ」が設定される。
【００２２】
次に、図６に示すアラーム発生処理フローチャートのステップ順に、アラーム発生処理を説明する。
【００２３】
（ステップＳ２０１）
アラーム発生処理部２０４ｂは、揮発メモリ２０５からアラーム連続発生検出フラグ２０５ｂを取り出し、アラーム連続発生検出フラグ２０５ｂが「ON」であるかを判定する。アラーム連続発生検出フラグ２０５ｂが「ON」である(ステップＳ２０１のＹｅｓ)ときは、ステップＳ２０２に進む。またアラーム連続発生検出フラグ２０５ｂが「ON」でない(ステップＳ２０１のＮｏ)ときは、ステップＳ２０５に進む。
【００２４】
（ステップＳ２０２）
アラーム発生処理部２０４ｂは、図４（ａ）に示す状態変化通知メッセージのアラーム名称が「自動スタンバイ」、アラーム発生装置状態が「スタンバイ」である自動スタンバイ状態を示す状態変化通知メッセージを作成する。
【００２５】
（ステップＳ２０３）
アラーム発生処理部２０４ｂは、ステップＳ２０２で作成した自動スタンバイ状態を示す状態変化通知メッセージを親機１０３に送信する。
【００２６】
（ステップＳ２０４）
アラーム発生処理部２０４ｂは、自装置をスタンバイ状態に遷移させ、アラーム発生処理を終了する。
【００２７】
（ステップＳ２０５）
アラーム発生処理部２０４ｂは、保守監視制御部２０４が検出したアラームに基づいて図４（ａ）に示すアラーム状態を示す状態変化通知メッセージを作成する。
【００２８】
（ステップＳ２０６）
アラーム発生処理部２０４ｂは、ステップＳ２０５で作成したアラーム状態を示す状態変化通知メッセージを親機１０３に送信する。
【００２９】
（ステップＳ２０７）
アラーム発生処理部２０４ｂは、揮発メモリ２０５からアラーム連続発生カウンタ値２０５ａを取り出し、アラーム連続発生カウンタ値２０５ａに１を加算してから、更新したアラーム連続発生カウンタ値２０５ａを記憶する。そして、アラーム発生処理部２０４ｂは、アラーム発生処理を終了する。
【００３０】
以上のアラーム発生処理により、アラームが連続発生しているときには自動スタンバイ状態を示す状態変化通知メッセージが親機１０３に送信され、またアラームが連続発生でないときにはアラーム状態を示す状態変化通知メッセージが親機１０３に送信される。
【００３１】
親機１０３のアラーム連続発生検出処理は、子機１０２のアラーム連続発生検出処理に同じである。また、親機１０３のアラーム発生処理は、子機１０２のアラーム発生処理におけるステップＳ２０３の「自動スタンバイにおける状態変化通知メッセージを親機１０３に送信」と、ステップＳ２０６の「状態変化通知メッセージを親機１０３に送信」を行わない以外は同じである。
【００３２】
親機１０３が子機１０２から受信した状態変化通知メッセージ、または親機１０３が作成した状態変化通知メッセージが遠隔監視装置１０９のモニターに表示されるまでの移動通信システムの処理概要を図７に示す。以下、図７に示す移動通信システムの処理概要を示すフローチャートのステップ順に、処理を説明する。
【００３３】
（ステップＳ３０１）
親機１０３が子機１０２から状態変化通知メッセージを受信、または親機１０３が状態変化通知メッセージを作成すると、親機１０３はＩＳＤＮルータ１０４とリンク確立を行う。
【００３４】
（ステップＳ３０２）
親機１０３から遠隔監視装置１０９に状態変化通知メッセージを送信する。
【００３５】
（ステップＳ３０３）
遠隔監視装置１０９が親機１０３から状態変化通知メッセージを受信する。
【００３６】
（ステップＳ３０４）
遠隔監視装置１０９は、モニターのアラームランプを点灯させる。
【００３７】
（ステップＳ３０５）
遠隔監視装置１０９は、受信した状態変化通知メッセージを追加した図４（ｃ）に示すアラーム一覧表示画面をモニタに表示する。
【００３８】
以上のように、本実施の形態によれば、光伝送装置の状態が不安定となりアラームの発生と復帰を繰り返してしまったときでも、アラーム通知を停止させることで、アラーム通知を送信するための回線負荷と送信するための通信料を削減することができる。また、自装置をスタンバイ状態とすることで移動通信システムのオペレータによる再起動制御を受け付けることができるので、オペレータがどこに異常が発生しているかの状況確認や必要なデータを採取してから再起動を行うことができる。
【００３９】
以上、具体的な実施の形態により本発明を説明したが、上記実施の形態は本発明の例示であり、この実施の形態に限定されないことは言うまでもない。
【００４０】
以上をまとめると、本発明は次のような特徴を有する。
(１)．本発明の移動通信システムは、光伝送装置と遠隔監視装置を備えた移動通信システムであって、前記光伝送装置のアラームを検出するアラーム検出手段と、前記アラーム検出手段で検出した前記アラームを状態変化通知メッセージとして前記遠隔監視装置に送信する状態変化通知メッセージ送信手段と、前記光伝送装置をスタンバイ状態に遷移させるスタンバイ状態遷移手段とを備え、前記光伝送装置で予め定めた回数だけ連続して前記アラームが発生したときに、前記状態変化通知メッセージ送信手段は前記状態変化通知メッセージの送信を停止し、また前記スタンバイ状態遷移手段は前記光伝送装置を前記スタンバイ状態に遷移させることを特徴としている。
(２)．（１）の移動通信システムの前記光伝送装置は、光伝送装置子機と光伝送装置親機であることを特徴としている。
(３)．（１）または（２）の移動通信システムの前記光伝送装置は、前記スタンバイ状態遷移手段により前記スタンバイ状態に遷移するときに、前記スタンバイ状態に遷移することを示す前記状態変化通知メッセージを前記状態変化通知メッセージ送信手段により前記遠隔監視装置に送信することを特徴としている。
(４)．（１）から（３）のいずれかの移動通信システムの前記光伝送装置は、予め決められ時間に予め決められた閾値以上のアラームが発生したかを検出するアラーム連続発生検出手段を備えていることを特徴としている。
(５)．（４）の移動通信システムの前記光伝送装置は、前記アラーム連続発生検出手段により前記閾値以上のアラームが発生しているときに前記スタンバイ状態に遷移することを示す前記状態変化通知メッセージを前記遠隔監視装置に送信し、前記アラーム連続発生検出手段により前記閾値以上のアラームが発生していないときにアラーム状態を示す前記状態変化通知メッセージを前記遠隔監視装置に送信するアラーム発生手段を備えていることを特徴としている。
(６)．（１）から（５）のいずれかの移動通信システムの遠隔監視装置はモニターを備え、前記モニターに状態変化通知メッセージをアラーム一覧表示画面に表示するアラーム一覧表示画面表示手段を備えていることを特徴としている。
(７)．（１）から（６）のいずれかの移動通信システムの遠隔監視装置はアラームランプを備え、前記モニターに状態変化通知メッセージを受信すると前記アラームランプを点灯させるアラームランプ点灯手段を備えていることを特徴としている。
(８)．本発明の移動通信システムの監視方法は、光伝送装置と遠隔監視装置を備えた移動通信システムの監視方法であって、前記光伝送装置のアラームを検出するアラーム検出工程と、前記アラーム検出工程で検出した前記アラームを状態変化通知メッセージとして前記遠隔監視装置に送信する状態変化通知メッセージ送信工程と、前記光伝送装置をスタンバイ状態に遷移させるスタンバイ状態遷移工程とを備え、前記光伝送装置で連続して前記アラームが発生したときに、前記状態変化通知メッセージ送信工程による前記状態変化通知メッセージの送信を停止し、また前記スタンバイ状態遷移工程により前記光伝送装置を前記スタンバイ状態に遷移させることを特徴としている。
【産業上の利用可能性】
【００４１】
本発明は、移動通信システムに好適であるが、移動通信システムに限られるものではなく、備えている装置にアラームが発生しているかを監視しているシステム一般に適用可能である。
【符号の説明】
【００４２】
１０１・・・・・・・・移動局
１０２・・・・・・・・光伝送装置子機(子機)
１０３・・・・・・・・光伝送装置親機(親機)
１０４・・・・・・・・ＩＳＤＮルータ
１０５・・・・・・・・無線基地局
１０６・・・・・・・・無線網制御装置
１０７・・・・・・・・交換機
１０８・・・・・・・・ネットワーク
１０９・・・・・・・・遠隔監視装置
２０１・・・・・・・・光Ｉ／Ｆ部
２０２・・・・・・・・無線送受信部
２０３・・・・・・・・無線増幅部
２０４・・・・・・・・保守監視制御部
２０４ａ・・・・・・・アラーム連続発生検出処理部
２０４ｂ・・・・・・・アラーム発生処理部
２０４ｃ・・・・・・・タイマー処理部
２０４ｄ・・・・・・・アラーム処理部
２０５・・・・・・・・揮発メモリ
２０５ａ・・・・・・・アラーム連続発生カウンタ値
２０５ｂ・・・・・・・アラーム連続発生検出フラグ
２０６・・・・・・・・不揮発メモリ
２０６ａ・・・・・・・アラーム連続発生カウンタ閾値
２０６ｂ・・・・・・・アラーム連続発生検出処理タイマー値
３０１・・・・・・・・無線Ｉ／Ｆ部
３０２・・・・・・・・無線送受信部
３０３・・・・・・・・ネットワークＩ／Ｆ部
３０４・・・・・・・・保守監視制御部
３０４ａ・・・・・・・アラーム連続発生検出処理部
３０４ｂ・・・・・・・アラーム発生処理部
３０４ｃ・・・・・・・タイマー処理部
３０４ｄ・・・・・・・アラーム処理部
３０５・・・・・・・・光信号変換部
３０６・・・・・・・・揮発メモリ
３０６ａ・・・・・・・アラーム連続発生カウンタ値
３０６ｂ・・・・・・・アラーム連続発生検出フラグ
３０７・・・・・・・・不揮発メモリ
３０７ａ・・・・・・・アラーム連続発生カウンタ閾値
３０７ｂ・・・・・・・アラーム連続発生検出処理タイマー値
【図１】
2010200233.tif 000003
【図２】
2010200233.tif 000004
【図３】
2010200233.tif 000005
【図４】
2010200233.tif 000006
【図５】
2010200233.tif 000007
【図６】
2010200233.tif 000008
【図７】
2010200233.tif 000009